【手続補正書】
【提出日】平成28年1月8日(2016.1.8)
【手続補正１】
【補正対象書類名】特許請求の範囲
【補正対象項目名】全文
【補正方法】変更
【補正の内容】
【特許請求の範囲】
【請求項１】
少なくともベースフィルム層とシーラント層とを具える先行積層フィルムの尾端部と、少なくともベースフィルム層とシーラント層とを具える後行積層フィルムの先端部とが互いに突き合わされた突き合わせ部分に、先行・後行積層フィルムの端部どうしを幅方向の全幅にわたって相互に連結するためのテープが設けられてなり、該テープは、その上またはその近傍の所定の位置に、1次元コードまたは２次元コードのコード規格またはコード番号に基づいた充填包装機の制御情報表示を有することを特徴とする充填包装機用積層フィルムの連結構造。
【請求項２】
前記テープは、紙、布、金属箔またはフィルムを基材とする粘着テープであるか、あるいは両面シール性ラミネートフィルムからなる帯状フィルムであることを特徴とする請求項１に記載の充填包装機用積層フィルムの連結構造。
【請求項３】
前記帯状フィルムは、上・下のシーラント層の間に、延伸または無延伸フィルムからなる中間層を有し、該中間層のいずれか一方の面に前記１次元コードまたは２次元コードが表示されてなり、上・下シーラント層のいずれか一方が、先行・後行積層フィルムの前記突き合わせ部分のシーラント層側に加熱融着されていることを特徴とする請求項２に記載の充填包装機用積層フィルムの連結構造。
【請求項４】
前記１次元コードまたは２次元コードは、凸版印刷、凹版印刷または平版印刷により表示され、遮光性を有することを特徴とする請求項１〜３のいずれか１項に記載の充填包装機用積層フィルムの連結構造。
【請求項５】
前記１次元コードまたは２次元コードの横幅は、前記積層フィルム幅の１／２以下であることを特徴とする請求項１〜４のいずれか１項に記載の充填包装機用積層フィルムの連結構造。
【請求項６】
少なくともベースフィルム層とシーラント層とを具える、先行積層フィルムと後行積層フィルムとの繋ぎ部分を検出する方法であって、前記先行積層フィルムの尾端部と、後行積層フィルムの先端部とを互いに突き合わせ、該突き合わせ部分にテープを設けて、先行・後行積層フィルムの端部どうしを連結すると共に、前記テープ上またはその近傍の所定の位置に表示された１次元コードまたは２次元コードを、複数のコード規格またはコード番号の設定が可能な検出器によって読み取ることにより、先行積層フィルムと後行積層フィルムとのフィルム繋ぎ部分を特定するとともに、前記１次元コードまたは２次元コードのコード規格またはコード番号に基づいた充填包装機の制御情報表示を取得することを特徴とする充填包装機用積層フィルムのフィルム繋ぎ部分の検出方法。
【請求項７】
前記テープは、紙、布、金属箔またはフィルムを基材とする粘着テープであるか、あるいは両面シール性ラミネートフィルムからなる帯状フィルムであることを特徴とする請求項６に記載の充填包装機用積層フィルムのフィルム繋ぎ部分の検出方法。
【請求項８】
前記１次元コードまたは２次元コードの横幅は、前記積層フィルム幅の１／２以下であることを特徴とする請求項６または７に記載の充填包装機用積層フィルムのフィルム繋ぎ部分の検出方法。
【請求項９】
前記検出器は、コードリーダまたは画像検出・処理器であることを特徴とする請求項６〜８のいずれか１項に記載の充填包装機用積層フィルムのフィルム繋ぎ部分の検出方法。
【手続補正２】
【補正対象書類名】明細書
【補正対象項目名】発明の名称
【補正方法】変更
【補正の内容】
【発明の名称】充填包装機用積層フィルムの連結構造およびそのフィルム繋ぎ部分の検出方法
【手続補正３】
【補正対象書類名】明細書
【補正対象項目名】０００１
【補正方法】変更
【補正の内容】
【０００１】
この発明は、充填包装機用積層フィルムどうしを、それの端部で相互に連結してなる充填包装機用積層フィルムの連結構造およびそのフィルム繋ぎ部分の検出方法に関する。
【手続補正４】
【補正対象書類名】明細書
【補正対象項目名】０００７
【補正方法】変更
【補正の内容】
【０００７】
しかしながら、上記カラーテープの貼着による方法および特許文献１のいずれの方法も、積層フィルムの表面に施された印刷模様に含まれていない色から、カラーテープや検出するストラップフィルムの色を選定し、その色をセンサによって検出する必要があるため、積層フィルムの印刷が変わるごとに、検出器（光電式センサ）の感度調整を行う必要があり、オペレータの作業負担が増えると共に、感度調整ミスによって繋ぎ部分を正確に検出できないおそれがある。
また、特許文献１の場合、ストラップフィルムの着色中間層に含まれる赤色や黒色、黄色を、検出器で識別するため、積層フィルムの印刷（色）がストラップフィルムの着色中間層と同系色である場合には、誤検出の可能性が非常に高くなることから、積層フィルムの印刷（色）が制限されてしまうという問題点もあった。
【手続補正５】
【補正対象書類名】明細書
【補正対象項目名】０００８
【補正方法】変更
【補正の内容】
【０００８】
そこで、本発明は、従来技術が抱える上記問題点を解決することを課題とするものであり、その目的とするところは、積層フィルムの繋ぎ部分を簡単かつ正確に検出することができ、とくには、積層フィルムの印刷（色）が制限されることのない充填包装機用積層フィルムの連結構造と、そのフィルム繋ぎ部分の検出方法を提案することにある。
【手続補正６】
【補正対象書類名】明細書
【補正対象項目名】０００９
【補正方法】変更
【補正の内容】
【０００９】
上記課題を解決するため、本発明の充填包装機用積層フィルムの連結構造は、少なくともベースフィルム層とシーラント層とを具える先行積層フィルムの尾端部と、少なくともベースフィルム層とシーラント層とを具える後行積層フィルムの先端部とが互いに突き合わされた突き合わせ部分に、先行・後行積層フィルムの端部どうしを幅方向の全幅にわたって相互に連結するためのテープが設けられてなり、該テープは、その上またはその近傍の所定の位置に、1次元コードまたは２次元コードのコード規格またはコード番号に基づいた充填包装機の制御情報表示を有することを特徴とする。
【手続補正７】
【補正対象書類名】明細書
【補正対象項目名】００１０
【補正方法】変更
【補正の内容】
【００１０】
なお、本発明の充填包装機用積層フィルムの連結構造においては、
（１）前記テープは、紙、布、金属箔またはフィルムを基材とする粘着テープであるか、あるいは両面シール性ラミネートフィルムからなる帯状フィルムであること、
（２）前記帯状フィルムは、上・下のシーラント層の間に、延伸または無延伸フィルムからなる中間層を有し、該中間層のいずれか一方の面に前記１次元コードまたは２次元コードが表示されてなり、上・下シーラント層のいずれか一方が、先行・後行積層フィルムの前記突き合わせ部分のシーラント層側に加熱融着されていること、
（３）前記１次元コードまたは２次元コードは、凸版印刷（フレキソ）、凹版印刷（グラビア）または平版印刷（オフセット）により表示され、遮光性を有すること、
（４）前記１次元コードまたは２次元コードの横幅は、前記積層フィルム幅の１／２以下であること
が、より好ましい解決手段となる。
【手続補正８】
【補正対象書類名】明細書
【補正対象項目名】００１１
【補正方法】変更
【補正の内容】
【００１１】
また、本発明は、少なくともベースフィルム層とシーラント層とを具える、先行積層フィルムと後行積層フィルムとの繋ぎ部分を検出する方法であって、前記先行積層フィルムの尾端部と、後行積層フィルムの先端部とを互いに突き合わせ、該突き合わせ部分にテープを設けて、先行・後行積層フィルムの端部どうしを連結すると共に、前記テープ上またはその近傍の所定の位置に表示された１次元コードまたは２次元コードを、複数のコード規格またはコード番号の設定が可能な検出器によって読み取ることにより、先行積層フィルムと後行積層フィルムとのフィルム繋ぎ部分を特定するとともに、前記１次元コードまたは２次元コードのコード規格またはコード番号に基づいた充填包装機の制御情報表示を取得することを特徴とする。
【手続補正９】
【補正対象書類名】明細書
【補正対象項目名】００１２
【補正方法】変更
【補正の内容】
【００１２】
なお、本発明の充填包装機用積層フィルムのフィルム繋ぎ部分の検出方法 においては、
（１）前記テープは、紙、布、金属箔またはフィルムを基材とする粘着テープであるか、あるいは両面シール性ラミネートフィルムからなる帯状フィルムであること、
（２）前記１次元コードまたは２次元コードの横幅は、前記積層フィルム幅の１／２以下であること、
（３）前記検出器は、コードリーダまたは画像検出・処理器であること、
がより好ましい解決手段となる。